(57)【特許請求の範囲】
【請求項１】
断熱シートと、
該断熱シートの一方の面に積層され、ペットの熱を吸収する保冷シートと、
前記断熱シートの他方の面に積層され、ペットから発散される熱を保持する保温シートとを備えたことを特徴とするペット用マット。
【請求項２】
請求項１に記載のペット用マットにおいて、
前記断熱シートと、前記保冷シートと、前記保温シートとが外袋に出入自在に収納されたことを特徴とするペット用マット。
【請求項３】
請求項１又は２に記載のペット用マットにおいて、
ペットから発散される放射熱を反射させる金属シートが、前記断熱シートと前記保温シーとの間に介在されたことを特徴とするペット用マット。
【請求項４】
請求項１乃至３のいずれか一つに記載のペット用マットにおいて、
前記保温シートは、発泡粒子が内袋に充填されて形成されたものであることを特徴とするペット用マット。
【請求項５】
請求項１乃至４のいずれか一つに記載のペット用マットにおいて、
前記保冷シートは、蓄熱材を内包したマイクロカプセルが基材に分散されて形成されたものであることを特徴とするペット用マット。
【発明の詳細な説明】
【技術分野】
【０００１】
本発明は、ペットが繋がれている場所、ペットが就寝又は休息する場所において、地面又は床の上に敷かれるペット用マットに関する。
【背景技術】
【０００２】
犬や猫などのペットは、長時間、同じ場所で横臥していることが多い。このようなペットの居場所を快適な空間とするために、ペット用マットが敷かれる。
【０００３】
ところで、犬や猫などのペットは、手や脚などによる発汗だけでしか体温調整ができないため、夏期など気温が高い時期には、ペットの体力を低下させてしまうことがあった。そのため、気温が高い時期には、ペットの居場所に、冷却用マットとして、アルミニウムプレートが敷かれる。アルミニウムプレートは熱伝導性が高く、ペットの体温を効率的に吸収するので、ペットの体躯を冷却することに適している。
【０００４】
また、特許文献１に示すように、金属製のケーシングの内部に冷却材を入れたペット用マットも提案されている。このペット用マットによれば、冷却材の融解によりペットから熱を吸収することから、冷却材が融解できる状態にある間は持続的に熱を吸収でき、長時間に亘ってペットを冷却できるといった効果があった。
【０００５】
一方、冬期など気温が低い時期は、高齢の犬や猫、体温調節ができないペットのために、そのペットの居場所を保温する場合がある。このような場合、ペットの居場所に保温用マットとして、電気式の加熱マットが用いられている。しかし、電気式の加熱マットでは、低温やけどを発生させてしまう虞があるので、電気を使用しないものとして、通気性シート、蓄熱シート、熱反射シートを順に積層した保温マットが提案されていた（特許文献２参照）。
【特許文献１】実用新案登録第３１１９２４２号公報
【特許文献２】実用新案登録第３０６６９７５号公報
【発明の開示】
【発明が解決しようとする課題】
【０００６】
しかしながら、従来からあるいずれのマットも、保温又は保冷のいずか一方の機能だけしか設けられていなかった。そのため、いずれのマットも、夏期又は冬期のいずれか一方の時期だけにしか使用することができなかった。従って、ペットの飼い主は、夏期と冬期それぞれ専用のマットを準備しなければならず、取替えや保管が面倒であった。また、大面積のマットでは、容積が嵩張るため、保管場所を確保しなければならないといった問題もあった。
【０００７】
本発明はこのような状況に鑑みてなされたものであり、夏期には、ペットの体温を冷却するものとして使用でき、且つ、冬期には、ペットの体温を維持するものとして使用できるペット用マットを提供することを目的とする。
【課題を解決するための手段】
【０００８】
本発明に係るペット用マットは、断熱シートと、該断熱シートの一方の面に積層され、ペットの熱を吸収する保冷シートと、前記断熱シートの他方の面に積層され、ペットから発散される熱を保持する保温シートとを備えたことを特徴とする。
【０００９】
本発明によれば、断熱シートの一方の面に保冷シートが積層され、他方の面に保温シートが積層されていることから、夏期の暑い時期においてペットを保冷したい場合には、保冷シート側を上面にして保冷マットとして使用でき、冬期の寒い時期においてペットを保温したい場合には、保温シート側を上面にして保温マットとして使用することができる。
【００１０】
また、本発明に係るペット用マットでは、前記断熱シートと、前記保冷シートと、前記保温シートとが外袋に出入自在に収納されたことを特徴としてもよい。
【００１１】
この構成によれば、前記断熱シートと、前記保冷シートと、前記保温シートが外袋に出し入れ自在に収納されていることから、これらのシートを取り出して、これらのシートと外袋とを分離することができる。これにより、ペット用マットがペットの唾液などで汚染された場合は、汚れが付着した外袋だけを洗浄することができるので、簡単且つ迅速に、ペット用マットを清潔な状態に保つことができる。
【００１２】
また、本発明に係るペット用マットでは、ペットから発散される放射熱を反射させる金属シートが、前記断熱シートと前記保温シートの間に介在されたことを特徴としてもよい。
【００１３】
この構成によれば、ペットから発散される放射熱のうち、保温シートから漏れ出る放射熱が金属シートで反射されることから、放射熱が有効に利用されることとなる。これにより、気温が低い時期があっても、ペット用マットだけでも十分に保温されるので、他の暖房器具を用いる頻度を抑制することができる。
【００１４】
また、本発明に係るペット用マットでは、前記保温シートは、発泡粒子が内袋に充填されて形成されたものであることを特徴としてもよい。
【００１５】
この構成によれば、保温シートは発泡粒子が内袋に充填され形成されることから、ペットがペット用マットに横臥することにより保温シートに体重が加えられても、綿シートのように、綿が圧縮され、内包した空気が外部に押し出されてしまうようなことはなく、発泡粒子内の孔空間や、発泡粒子間の空間に空気を確実に保持することができるので、これにより、温度維持する保温機能を向上させることができる。
【００１６】
また、発泡粒子は空気を内包すると共に、内袋で移動自在であることから、保温シートはクッションとして機能する。具体的には、ペット用マットにペットの体重が加えられたときは、その力が分散するように各発泡粒子が移動するので、ペットの体重は、体躯の特定の箇所だけで支持されるのではなく、体躯の特定の箇所を含めた広がりのある面で支持されることとなる。従って、ペットが長時間の同じ場所で同じ姿勢で横臥していても、体躯の特定箇所だけが常時押圧されるということを防止することができ、これにより、体躯の特定箇所の炎症を防止することができる。
【００１７】
また、本発明に係るペット用マットでは、前記保冷シートは、蓄熱材を内包したマイクロカプセルが基材に分散されて形成されたものであることを特徴としてもよい。
【００１８】
この構成によれば、蓄熱材がマイクロカプセルに内包された状態であることから、蓄熱材の状態がペットの体温により変化しても、その状態変化が外部に現れることがないので、保冷シート自体の剛性を変化させないで、保冷効果を発揮させることができる。
【発明の効果】
【００１９】
本発明に係るペット用マットによれば、断熱シートの一方の面に保冷シートが積層され、他方の面に保温シートが積層されていることから、夏期の暑い時期においてペットを保冷したい場合には、保冷シート側を上面にして保冷マットとして使用でき、冬期の寒い時期においてペットを保温したい場合には、保温シート側を上面にして保温マットとして使用することができる。
【００２０】
また、本発明に係るペット用マットによれば、断熱シートと、保冷シートと、保温シートが外袋に出入自在に収納されていることから、これらのシートを取り出して、これらのシートと外袋とを分離することができる。これにより、ペット用マットがペットの唾液などで汚染された場合は、汚れが付着した外袋だけを洗浄することができるので、簡単且つ迅速に、ペット用マットを清潔な状態に保つことができる。
【００２１】
また、本発明に係るペット用マットによれば、ペットから発散される放射熱を反射させる金属シートが、断熱シートと保温シートの間に介在された構成となっており、ペットから発散される放射熱のうち、保温シートから漏れ出る放射熱は、金属シートで反射されることから、放射熱が有効に利用されることとなる。これにより、気温が低い時期があっても、ペット用マットだけでも十分に保温されるので、他の暖房器具を用いる頻度を抑制することができる。
【００２２】
また、本発明に係るペット用マットによれば、保温シートは、発泡粒子が内袋に充填されて形成されたものであることから、温度維持する保温機能を向上させることができる。また、ペットの体躯を、体躯の特定の箇所だけで支持するのではなく、体躯の特定の箇所を含めた広がりのある面で支持することができるので、ペットが長時間の同じ場所で同じ姿勢で横臥していても、体躯の特定箇所だけが常時押圧されるということを防止することができ、体躯の特定箇所の炎症を防止することができる。
【００２３】
また、本発明に係るペット用マットによれば、保冷シートは、蓄熱材を内包したマイクロカプセルが基材に分散されて形成されたものであることから、蓄熱材の状態がペットの体温により変化しても、その状態変化が外部に現れることがないので、保冷シート自体の剛性を変化させないで、保冷効果を発揮させることができる。
【発明を実施するための最良の形態】
【００２４】
以下、本発明の実施の形態を図面に基づいて説明する。
【００２５】
図１は、本発明の実施の形態に係るペット用マットの断面図である。図２は、本発明の他の実施の形態に係るペット用マットの断面図である。図３は、本発明の実施の形態に係るペット用マットの使用状態を示した概略図である。
【００２６】
本発明の実施の形態に係るペット用マット１は、ペット２０が横臥する場所に敷かれるものであり、外袋２と、外袋２の中に収納される収納物３とから構成されている。ペット用マット１の大きさは、ペット２０より大きめの寸法とされている。
【００２７】
外袋２は、通気性を備えた織布により形成されている。これにより、蒸れが防止される。また、外袋２の開口部１２は、ファスナや面ファスナにより開閉自在とされ、収納物３の取り出しを可能としている。この構成により、収納物３を取り出して、外袋２が洗浄できるようにしている。従って、ペット用マットがペットの唾液などで汚染された場合でも、ペット用マット１全部を洗浄する必要がないので、簡単且つ迅速に、ペット用マット１を清潔な状態に保つことができる。
【００２８】
収納物３は、主に、ペット用マット１を敷く床面からの熱伝導を遮断するための断熱シート５と、ペット２０の熱を吸収する保冷シート６と、ペット２０から発散される熱を保持する保温シート７と、からなる。
【００２９】
断熱シート５は、断熱性と弾力性を備えたシートであればよく、例えば、厚さ５ｍｍ〜２０ｍｍのウレタンシートにより形成される。断熱シート５の一方の面には、通気性を備えた多孔性シート８が接着剤により積層され、更にその上面に、アルミニウムが蒸着されたアルミ蒸着シート９が接着されている。このような構成により、ペット２０から放射される放射熱を反射するようにされている。また、アルミ蒸着シート９と断熱シート５との間に多孔性シート８を介在させたことにより、アルミ蒸着シート９から断熱シート５への熱拡散を防止している。なお、多孔性シート８は本発明の必須の構成要件ではなく、アルミ蒸着シート９を直接、断熱シート５に接着してもよい（図２参照）。
【００３０】
保温シート７は、断熱シート５の一方の面（アルミ蒸着シート９が積層された面）に積層される。保温シート７は、断熱シート５の一方の面に接着して積層してもよいし、断熱シート５に当接させた状態で保温シート７を配置してもよい。
【００３１】
また、保温シート７は、保温材を内袋７０に充填して形成される。保温材は、空気を内包しうるものであればよく、例えば、筒状のプラスチックチップ、竹片、発泡粒子等が用いられる。また、保温材としては用いられる物は、このような粒状物だけに限られず、空気胞が設けられたポリエチレンシート（例えば、エアーキャップ（登録商標））など、シート状の物を用いてもよい。
【００３２】
特に、保温材として、ポリスチレンを発泡させて形成した球状の発泡粒子７１を用いることが好ましい。発泡粒子７１は、例えば、直径が０．７ｍｍ〜２．０ｍｍとされる。なお、発泡粒子７１は球状に限定されるものではなく、例えば、米粒状のものであってもよい。
【００３３】
このような発泡粒子７１は、内袋７０に容積率で４０％〜９０％充填され、発泡粒子７１が移動自在とされる。内袋７０は、通気性の織布で形成されており、保温シート７内の空気と外気が交換されるようにされている。これにより、保温シート７内に熱と湿気がこもることが防止される。
【００３４】
発泡粒子７１はペット２０からの放射熱を反射又は吸収するが、放射熱の一部は、発泡粒子間を通過してアルミ蒸着シート９まで到達し、このアルミ蒸着シート９で反射される。すなわち、ペット２０から発散される放射熱のうち、保温シート７から漏れ出る放射熱がアルミ蒸着シート９で反射されることから、ペット２０からの放射熱は略全量、保温のために利用されることとなる。
【００３５】
保冷シート６は、断熱シート５の他方の面（アルミ蒸着シート９が積層された面と反対側の面）に、接着材により積層されている。保冷シート６は、蓄熱材を内包したマイクロカプセルを基材に多数分散させて形成されている。蓄熱材としては、融点がペット２０の平均体温より低く且つ０度より高い温度のものが用いられる。ペット２０が犬や猫の場合には、融点が２０度〜３３度である蓄熱材を用いることが好ましい。
【００３６】
ここで、融点が２５度である蓄熱材が内包されたマイクロカプセルが分散された保冷シート６が用いられたペット用マット１において、このペット用マット１を使用したときのペット２０の保冷効果について説明する。このようなペット用マット１の上にペット２０が横臥したとき、マイクロカプセル内の蓄熱材がペット２０から熱を吸収することとなる。そして、蓄熱材が２５度にまで到達したとき、更に潜熱を吸収するので、しばらくの時間は、保冷シート６は２５度のままで推移することとなる。従って、アルミニウムプレートの上に横臥する場合と比較して、保冷シート６の上に横臥する方が、長時間、ペット２０に冷涼感を感じさせることができる。
【００３７】
なお、保冷シート６として、アルミニウムプレートや、蓄熱材を含有したゲル状物を収納したシートを用いてもよい。
【００３８】
以上に説明したペット用マット１は、外袋２に収納物３を収納したものとして示しているが、ペット用マット１はこの構成に限定されるものではない。例えば、収納物３のそれぞれを接着剤等で結合させて１つものとし、ペット用マット１を構成してもよい。
【００３９】
以上のペット用マット１によれば、断熱シート５の一方の面に保冷シート６が積層され、他方の面に保温シート７が積層されていることから、夏期の暑い時期においてペット２０を保冷したい場合には、保冷シート６側を上面にして保冷マットとして使用でき、冬期の寒い時期においてペット２０を保温したい場合には、保温シート７側を上面にして保温マットとして使用することができる。
【００４０】
また、アルミ蒸着シート９が、断熱シート５と保温シート７の間に介在された構成となっており、ペット２０から発散される放射熱のうち、保温シート７から漏れ出る放射熱がアルミ蒸着シート９で反射されることから、放射熱が有効に利用されることとなる。これにより、気温が低い時期があっても、ペット用マット１だけでも十分に保温されるので、他の暖房器具を用いる頻度を抑制することができる。
【００４１】
また、保温シート７は、発泡粒子７１が内袋７０に充填され形成されることから、ペット２０がペット用マット１に横臥することにより保温シート７に体重が加えられても、綿シートのように、綿が圧縮され、内包した空気が外部に押し出されてしまうようなことはなく、発泡粒子７１内の孔空間や、発泡粒子７１間の空間に空気を確実に保持することができるので、これにより、温度維持する保温機能を向上させることができる。
【００４２】
また、発泡粒子７１は空気を内包すると共に、内袋７０内で移動自在であることから、保温シート７はクッションとして機能する。具体的には、ペット用マット１にペット２０の体重が加えられたときは、その力が分散するように各発泡粒子７１が移動するので、ペット２０の体重は、体躯の特定の箇所だけで支持されるのではなく、体躯の特定の箇所を含めた広がりのある面で支持されることとなる。従って、ペット２０が長時間の同じ場所で同じ姿勢で横臥していても、体躯の特定箇所だけが常時押圧されるということを防止することができ、これにより、体躯の特定箇所の炎症を防止することができる。
【００４３】
また、保冷シート６は、蓄熱材を内包したマイクロカプセルが基材に分散されて形成されたものであることから、蓄熱材の状態がペット２０の体温により変化しても、その状態変化が外部に現れることがないので、保冷シート６自体の剛性を変化させないで、保冷効果を発揮させることができる。
【図面の簡単な説明】
【００４４】
【図１】本発明の実施の形態に係るペット用マットの断面図である。
【図２】本発明の他の実施の形態に係るペット用マットの断面図である。
【図３】本発明の実施の形態に係るペット用マットの使用状態を示した概略図である。
【符号の説明】
【００４５】
１            ペット用マット
２            外袋
３            収納物
５            断熱シート
６            保冷シート
７            保温シート
８            多孔性シート
９            アルミ蒸着シート
７１          発泡粒子
【要約】
【課題】夏期には、ペットの体温を冷却するものとして使用でき、且つ、冬期には、ペットの体温を維持するものとして使用できるペット用マットを提供する。
【解決手段】ペット用マット１は、断熱シート５と、この断熱シート５の一方の面に積層され、ペットの熱を吸収する保冷シート６と、断熱シート６の他方の面に積層され、ペットから発散される熱を保持する保温シート７とを備えている。夏期には、保冷シート６を上面にして保冷マットとして使用でき、冬期には、保温シート７を上面して保温シートとして使用することができる。
【選択図】図１【図１】
0004094653.tif 000002
【図２】
0004094653.tif 000003
【図３】
0004094653.tif 000004